(57)【特許請求の範囲】
【請求項１】
少なくとも１つの相補的形状のインジケーター又は表盤（４）に対向し、かつ、これの上に位置する物理的又は時間的な大きさを表示するインジケーター（３）を受ける第１の出力アーバー（２）を少なくとも駆動する計時器ムーブメント（１）であって、
前記相補的形状のインジケーター又は表盤（４）は、前記ムーブメント（１）の第１の出力アーバー（２）のそれぞれの周りに前記ムーブメント（１）の構造（５０）内で局所的に備えられた局所的基準又は支持面（５）上に配置され、
前記少なくとも１つの第１の出力アーバー（２）は、前記局所的基準又は支持面（５）の側に、前記局所的基準又は支持面（５）に対して凹んでいるか同じ高さである自由端（６）を有し、さらに、
前記第１の出力アーバー（２）は、止め面（２１）を有し、
この止め面（２１）は、すべての動作構成において突出しない構成となることを確実にするためのものであり、
前記構造（５０）に備えられた相補的形状の止め面（５２）又は前記構造（５０）と前記第１の出力アーバー（２）の間に挿入された固定クロス片（５１）のいずれかによって前記第１の出力アーバー（２）の移動が制限される
ことを特徴とする計時器ムーブメント（１）。
【請求項２】
前記ムーブメント（１）は、前記局所的基準又は支持面（５）に対して突出している突出筒かな端（９）を有するメインの筒かな（８）と同軸である第２のメイン出力アーバー（７）を少なくとも有し、
前記第２のメイン出力アーバー（７）は、前記突出筒かな端（９）の側に、前記突出筒かな端（９）に対して凹んでいるか同じ高さである自由端（１０）を有する
ことを特徴とする請求項１に記載の計時器ムーブメント（１）。
【請求項３】
メインの筒かな（８）と同軸ではない前記ムーブメント（１）の前記少なくとも１つの第１の出力アーバー（２）のそれぞれは、前記局所的基準又は支持面（５）の側に、前記局所的基準又は支持面（５）に対して凹んでいるか同じ高さである自由端（６）を有する
ことを特徴とする請求項１に記載の計時器ムーブメント（１）。
【請求項４】
前記局所的基準又は支持面（５）に対して突出する突出筒かな端（９）を有するメインの筒かな（８）と同軸である前記ムーブメント（１）の前記少なくとも１つの第２のメイン出力アーバー（７）のそれぞれは、前記突出筒かな端（９）の側に、前記突出筒かな端（９）に対して凹んでいるか同じ高さである自由端（１０）を有する
ことを特徴とする請求項２に記載の計時器ムーブメント（１）。
【請求項５】
メインの筒かな（８）と同軸ではない前記ムーブメント（１）の前記少なくとも１つの第１の出力アーバー（２）のそれぞれは、前記局所的基準又は支持面（５）の側に、前記局所的基準又は支持面（５）に対して凹んでいるか同じ高さである自由端（６）を有し、さらに、
前記局所的基準又は支持面（５）に対して突出する突出筒かな端（９）を有するメインの筒かな（８）と同軸である前記ムーブメント（１）の前記少なくとも１つの第２のメイン出力アーバー（７）のそれぞれは、前記突出筒かな端（９）の側に、前記突出筒かな端（９）に対して凹んでいるか同じ高さである自由端（１０）を有する
ことを特徴とする請求項２に記載の計時器ムーブメント（１）。
【請求項６】
前記ムーブメント（１）は、前記局所的基準又は支持面（５）に対して凹んでいるか同じ高さである突出筒かな端（９）を有するメインの筒かな（８）と同軸である第２のメイン出力アーバー（７）を少なくとも有し、
前記第２のメイン出力アーバー（７）は、前記突出筒かな端（９）の側に、前記突出筒かな端（９）に対して凹んでいるか同じ高さである自由端（１０）を有し、
前記突出筒かな端（９）は、前記メインの筒かな（８）と同軸である前記第２のメインアーバー（７）を包囲し、前記局所的基準又は支持面（５）は、前記メインの筒かな（８）を包囲している
ことを特徴とする請求項１に記載の計時器ムーブメント（１）。
【請求項７】
前記メインの筒かな（８）のそれぞれの前記突出端（９）は、前記局所的基準又は支持面（５）に対して凹んでいるか同じ高さである
ことを特徴とする請求項６に記載の計時器ムーブメント（１）。
【請求項８】
前記ムーブメント（１）に備えられる各第１の出力アーバー（２）又は各第２のメイン出力アーバー（７）の前記自由端（６、１０）は、前記自由端（６、１０）から最も遠い位置にある前記局所的基準又は支持面（５）に接する平面に対して凹んでいるか同じ高さである
ことを特徴とする請求項２に記載の計時器ムーブメント（１）。
【請求項９】
前記ムーブメント（１）に備えられる各第１の出力アーバー（２）又は各第２のメイン出力アーバー（７）の上の前記局所的基準又は支持面（５）はすべて、芯位置合わせされている
ことを特徴とする請求項２に記載の計時器ムーブメント（１）。
【請求項１０】
前記ムーブメント（１）は、前記少なくとも１つの表盤（４）が備える相補的形状の表面（１２）を介して上部表面（１１）上で支持される少なくとも１つの表盤（４）を受け所定位置に保持するための前記上部表面（１１）を有し、
前記少なくとも１つの表盤（４）は、一連の開口（１３）を有し、これによって、前記ムーブメント（１）に備えられる前記第１の出力アーバー（２）及び／又は前記第２のメイン出力アーバー（７）の特定のもののみの上で前記表示インジケーター（３）が取り付けられることが許容され、
前記少なくとも１つの表盤（４）は、前記第１の出力アーバー（２）及び／又は前記第２のメイン出力アーバー（７）を隠し、これは前記開口（１３）を通して見えない
ことを特徴とする請求項２に記載の計時器ムーブメント（１）。
【請求項１１】
前記第１の出力アーバー（２）の少なくとも１つ又は前記第２の出力アーバー（７）の少なくとも１つは、針（３）を備えている
ことを特徴とする請求項２に記載の計時器ムーブメント（１）。
【請求項１２】
請求項２に記載の計時器ムーブメント（１）を少なくとも１つ有するモジュール式の計時器アセンブリー（１００）であって、
当該アセンブリー（１００）は、複数の表盤（４）を有し、その各表盤（４）は、前記ムーブメント（１）が備える上部表面（１１）上で支持される相補的形状の表面（１２）を有し、
当該アセンブリー（１００）は、特定の前記表盤（４）それぞれに対して、表示インジケーター（３）の特定のセットを有し、
そのそれぞれは、前記ムーブメント（１）が備える前記第１の出力アーバー（２）及び／又は前記第２のメイン出力アーバー（７）のうちの１つに取り付けられるためのものであり、
前記出力アーバー（２、７）は、前記ムーブメント（１）に前記表盤（４）を組み立てた後に、前記特定の表盤（４）における開口を通して可視状態が維持される
ことを特徴とするモジュール式の計時器アセンブリー（１００）。
【請求項１３】
請求項１２に記載のモジュール式のアセンブリー（１００）から形成された計時器（１０００）であって、
当該計時器（１０００）は、前記ムーブメント（１）の上部表面（１１）の上で組み立てられた特定の表盤（４）又は固有な形に並置された特定の複数の表盤（４）と、及び前記特定の表盤（４）又は前記固有な形に並置された特定の複数の表盤（４）を通して前記ムーブメント（１）に組み立てられた複数の表示インジケーター（３）とを有し、この表示インジケーター（３）のそれぞれは、前記ムーブメント（１）が備える前記第１の出力アーバー（２）及び／又は前記第２のメイン出力アーバー（７）のうちの１つに取り付けられ、
前記出力アーバー（２、７）は、前記特定の表盤（４）又は固有な形に並置された特定の複数の表盤（４）が前記ムーブメント（１）上に組み立てられた後にも、その表盤（４）に設けられた開口を通して可視状態が維持される
ことを特徴とする計時器（１０００）。
【発明の詳細な説明】
【技術分野】
【０００１】
本発明は、少なくとも１つの相補的形状のインジケーター又は表盤に対向し、かつ、これの上に位置する物理的又は時間的な大きさを表示するインジケーターを受ける第１の出力アーバーを少なくとも駆動する計時器ムーブメントに関し、前記相補的形状のインジケーター又は表盤は、前記ムーブメントの第１の出力アーバーのそれぞれの周りに前記ムーブメントの構造内で局所的に備えられた局所的基準又は支持面上に配置され、前記少なくとも１つの第１の出力アーバーは、前記局所的基準又は支持面の側に、前記局所的基準又は支持面に対して凹んでいるか同じ高さである自由端を有する。
【０００２】
本発明は、さらに、このような計時器ムーブメントを少なくとも１つ有するモジュール式の計時器アセンブリーに関する。
【０００３】
本発明は、さらに、この種のモジュール式のアセンブリーから形成された計時器に関する。
【０００４】
本発明は、測時技術に関し、より詳細には、視覚的な表示機構の分野に関する。
【背景技術】
【０００５】
計時器ムーブメントの設計においては、一般に、共通プラットフォームを作る試みがなされる。このような共通プラットフォームに基づいて、オプションが豊富な様々な異なる変種が提供されている。この結果、基本的なムーブメントの部品が既に提案されている変種のいずれにも干渉しないことを確実にすることを目指すことになり、これによって、いずれの部品も取り外したり交換せずにムーブメントをそのまま使用することができるようにし、追加の部品を単に加えることによって数々の個性的なオプションを提供できるようにされる。具体的には、秒の表示の位置合わせ、特に、中央部の秒針や中心からずれて配置される小秒針の位置合わせにおいて、未使用のアーバーが表盤、針又は透明蓋と何ら干渉しないことを確実にしつつ、各オプションごとに異なるアーバーを取り付ける事態を回避することが目指される。
【０００６】
旧来、中央部の表示には、同心のステップ動作する筒かなやアーバーが含まれており、これらはすべて表盤の表面上に突出している。これは、表盤の高さを越えて突出する小秒針用アーバーに対しても同じである。このように、用途が広く使用されるということは、小秒針用アーバーの位置合わせ、その他の現在時刻の表示機能、又はタイミング関数、あるいは他の関数に対してのオプションがある分だけ、表盤が開口を有するということを意味する。これは、計時器の魅力を損ねてしまう。
【０００７】
Hillgruber名義のドイツ特許出願１９６４１８９４Ａ１では、外部のガイドチューブ内に位置するコイルばねを介しての筒かな又はアーバーへの針の取り付けについて記載している。
【０００８】
Voss名義の欧州特許出願０８６２０９８Ａ２では、針のための環状の取り付け具を備えたモジュール式の腕時計を記載している。
【０００９】
Malkin名義の米国特許４３７８９５７Ａでは、筒かなのベアリング内を回転する秒アーバーであって、他の筒かなの軸止めがそれらの駆動輪によって形成されているものを記載している。
【００１０】
Yazaki Corp.名義のドイツ特許出願４０３２８７９Ａ１では、環状の溝とフランジを介してのチューブ及び筒かなの相対的な軸上の連係を記載している。
【発明の概要】
【発明が解決しようとする課題】
【００１１】
本発明は、追加のプレートの挿入を必要とせずに同じ基本的なムーブメントに基づいて構築される変種の経済的及び美的な創作を改善することを提案する。追加のプレートの挿入が必要となれば、計時器の厚みに悪影響をもたらし、変種のコストを高価にしてしまう。
【課題を解決するための手段】
【００１２】
このために、本発明は、少なくとも１つの相補的形状のインジケーター又は表盤に対向し、かつ、これの上に位置する物理的又は時間的な大きさを表示するインジケーターを受ける第１の出力アーバーを少なくとも駆動する計時器ムーブメントに関し、前記相補的形状のインジケーター又は表盤は、前記ムーブメントの第１の出力アーバーのそれぞれの周りに前記ムーブメントの構造内で局所的に備えられた局所的基準又は支持面上に配置され、前記少なくとも１つの第１の出力アーバーは、前記局所的基準又は支持面の側に、前記局所的基準又は支持面に対して凹んでいるか同じ高さである自由端を有し、さらに、前記第１の出力アーバーは、止め面を有し、この止め面は、すべての動作構成において突出しない構成となることを確実にするためのものであり、前記構造に備えられた相補的形状の止め面又は前記構造と前記第１の出力アーバーの間に挿入された固定クロス片のいずれかによって前記第１の出力アーバーの移動が制限される。
【００１３】
本発明の特徴の１つによると、前記ムーブメントは、前記ムーブメントに対して突出している筒かな端を有するメインの筒かなと同軸である第２のメイン出力アーバーを少なくとも有し、前記第２のメイン出力アーバーは、前記突出筒かな端の側に、前記突出筒かな端に対して凹んでいるか同じ高さである一端を有する。
【００１４】
本発明の特徴の１つによると、メインの筒かなと同軸ではない前記ムーブメントの前記少なくとも１つの第１の出力アーバーのそれぞれは、前記局所的基準又は支持面の側に、前記局所的基準又は支持面に対して凹んでいるか同じ高さである一端を有する。
【００１５】
本発明の特徴の１つによると、前記ムーブメントに対して突出する１つの筒かな端を有するメインの筒かなと同軸である前記ムーブメントの前記少なくとも１つの第２のメイン出力アーバーのそれぞれは、前記突出筒かな端の側に、前記突出筒かな端に対して凹んでいるか同じ高さである一端を有する。
【００１６】
本発明の特徴の１つによると、メインの筒かなと同軸ではない前記ムーブメントの前記少なくとも１つの第１の出力アーバーのそれぞれは、前記局所的基準又は支持面の側に、前記局所的基準又は支持面に対して凹んでいるか同じ高さである一端を有し、さらに、前記ムーブメントに対して突出する筒かな端を有するメインの筒かなと同軸である前記ムーブメントの前記少なくとも１つの第２のメイン出力アーバーのそれぞれは、前記突出筒かな端の側に、前記突出筒かな端に対して凹んでいるか同じ高さである一端を有する。
【００１７】
本発明の特徴の１つによると、前記メインの筒かなの前記突出端は、前記局所的基準又は支持面に対して凹んでいるか同じ高さである。
【００１８】
本発明の特徴の１つによると、前記メインの筒かなそれぞれの前記突出端は、前記局所的基準又は支持面に対して凹んでいるか同じ高さである。
【００１９】
本発明は、さらに、この種の計時器ムーブメントを少なくとも１つ有するモジュール式の計時器アセンブリーに関し、当該アセンブリーは、複数の表盤を有し、その各表盤は、前記ムーブメントが備える上部表面上で支持される相補的形状の表面を有し、当該アセンブリーは、特定の前記表盤それぞれに対して、表示インジケーターの特定のセットを有し、そのそれぞれは、前記ムーブメントが備える前記第１の出力アーバー及び／又は前記第２のメイン出力アーバーのうちの１つに取り付けられるためのものであり、前記出力アーバーは、前記ムーブメントに前記表盤を組み立てた後に、前記特定の表盤における開口を通して可視状態が維持される。
【００２０】
本発明は、さらに、この種のモジュール式のアセンブリーから形成された計時器に関し、当該計時器は、前記ムーブメントの上部表面の上で組み立てられた特定の表盤又は固有な形に並置された特定の複数の表盤と、前記特定の表盤又は前記固有な形に並置された特定の複数の表盤を通して前記ムーブメントに組み立てられた複数の表示インジケーターとを有し、この表示インジケーターのそれぞれは、前記ムーブメントが備える前記第１の出力アーバー及び／又は前記第２のメイン出力アーバーのうちの１つに取り付けられ、前記出力アーバーは、前記特定の表盤又は固有な形に並置された特定の複数の表盤が前記ムーブメント上に組み立てられた後にも、その表盤に設けられた開口を通して可視状態が維持される。
【００２１】
このようにして、本発明は、各々が特定の変種に固有な複数の表盤又は表盤のセットを基本的なムーブメントに装備させることを可能にし、また、適切な表示インジケーター、特に針を表盤上にあるアーバーの自由端に装備することを可能にする。
【００２２】
添付図面を参照して以下の詳細な説明を読むことで、本発明の他の特徴及び利点が明確になるであろう。
【図面の簡単な説明】
【００２３】
【図１】本発明に係るムーブメントの詳細をこのムーブメントの第１の種類の出力アーバーの軸を通る概略的な部分断面図によって示す。
【図２】同様な方法によって、筒かなと同軸である第２の種類のメイン出力アーバーの軸を通る詳細断面図を示す。
【図２Ａ】図２の他の変種の断面図を示す。
【図３】図２の更なる他の変種の断面図を示す。
【図４】本発明に係るムーブメントのいくつかの出力アーバーの軸を通る部分的に切断されている概略的な断面図を示す。
【図５】図４と同様な形態で、図４のムーブメントを取り入れている計時器を示す。
【図６】本発明に係るモジュール式のアセンブリーキットの構成の概略的な正面分解図を示す。
【図７】図６のモジュール式のキットからの部品セットを使用して組み立てられた計時器の概略的な正面図を示す。
【発明を実施するための形態】
【００２４】
本発明は、測時技術に関し、より詳細には、視覚的な表示機構の分野に関する。
【００２５】
具体的には、本明細書及び図面は、針による表示の好ましい例（これに限定されない）を示しており、本発明は、表盤の下で針を取り付けることを提案する。
【００２６】
本発明は、少なくとも１つの相補的形状のインジケーター又は表盤４に対向し、かつ、その上にある物理的又は時間的な大きさを表示するインジケーター３を受けるための少なくとも１つの出力アーバー２又は７を駆動する計時器ムーブメント１に関する。この相補的形状のインジケーター又は表盤４は、構造５０の局所的基準又は支持面５のいずれかの上に配置され、例えば、主板、棒などである。これは、ムーブメント１の内部に位置する各出力アーバー２又は７の周りにムーブメント１内部で局所的に配置されている。あるいは、支持面５の局所的基準の上に配置されている。
【００２７】
本発明によると、図１からわかるように、この少なくとも１つの出力アーバーは、第１の種類の出力アーバー２であり、局所的基準又は支持面５の側に、自由端６を有する。この自由端６は、局所的基準又は支持面５に対して値Ｈの分凹んでいるか同じ高さにある。
【００２８】
この第１の種類の出力アーバー２は、止め面２１を有する。この止め面２１は、すべての動作構成において、このような凹んだ（又は可能性としては同じ高さの）構成となり、かつ、移動が制限されていることを確実にするためのものである。これは、構造５０に備えられる相補的形状の止め面５２によって、又は構造５０と第１の種類の出力アーバー２の間に挿入された固定されたクロス片５１によってなされる。
【００２９】
好ましくは、第１の種類の出力アーバー２又は第２の種類の出力アーバー７は、止め面２１又は７１を有する。これは、いずれの予測可能な膨張をも考慮して、すべての動作構成において突出しない構成となることを確実にするためのものである。本発明の様々な変種（これに限定されない）を示す図１、２、２Ａ及び３に示すように、止め面２１又は７１の移動は、構造５０に備えられる相補的形状の止め面５２又は構造５０と第１の種類の出力アーバー２又は第２の種類の出力アーバー７の間に挿入された固定クロス片５１のいずれかによって、あるいは第１の種類のアーバー２又は第２の種類のアーバー７が挿入される筒かな８が有する相補的形状の止め面９１によって制限される。
【００３０】
図２に示す特定の実施形態では、ムーブメント１は少なくとも１つの第２の種類のメイン出力アーバー７を有する。このメイン出力アーバーは、メインの筒かな８と同軸であり、このメインの筒かな８は、突出筒かな端９を有し、この突出筒かな端９は、局所的基準又は支持面５に対して値Ｅの分突き出る。また、第２の種類のメイン出力アーバー７は、この突出筒かな端９の側に、突出筒かな端９に対して値Ｈの分凹んでいるか又は同じ高さにある自由端１０を有する。この第２の種類のメイン出力アーバー７は、図１の第１の種類のアーバー２ではないことを理解できるであろう。なぜなら、後者の第１の種類のアーバー２は、局所的基準又は支持面５に対して凹んでいるか同じ高さである自由端６を有するからである。これは、第２の種類のメイン出力アーバー７とは違う。
【００３１】
特定の変種において、ムーブメント１の少なくとも１つの第１の種類の出力アーバー２のそれぞれは、メインの筒かな８と同軸ではなく、局所的基準又は支持面５の側に、局所的基準又は支持面５に対して凹んでいるか同じ高さである自由端６を有する。
【００３２】
しかし、本発明に係るムーブメントが複数の出力アーバー及び／又はメイン出力アーバーを有する必要はない。
【００３３】
特定の変種において、ムーブメント１の少なくとも１つの第２の種類のメイン出力アーバー７はそれぞれ、局所的基準又は支持面５に対して突出する筒かな端９を有するメインの筒かな８と同軸であり、突出筒かな端９の側に、突出筒かな端９に対して凹んでいるか同じ高さである自由端１０を有する。
【００３４】
有利な実施形態において、ムーブメント１の少なくとも１つの第１の種類の出力アーバー２はそれぞれ、メインの筒かな８と同軸ではなく、局所的基準又は支持面５の側に、局所的基準又は支持面５に対して凹んでいるか同じ高さである自由端６を有する。ムーブメント１の少なくとも１つの第２の種類のメイン出力アーバー７はそれぞれ、局所的基準又は支持面５に対して突出する筒かな端９を有するメインの筒かな８と同軸であり、突出筒かな端９の側に、突出筒かな端９に対して凹んでいるか同じ高さである自由端１０を有する。
【００３５】
図３に示す特定の変種において、メインの筒かな８の突出している端９は、局所的基準又は支持面５に対して、値Ｒの分凹んでいるか又は同じ高さにある。この局所的基準又は支持面５は、メインの筒かな８と同軸である第２の種類のメインアーバー７を包囲し、この局所的基準又は支持面５は、メインの筒かな８を包囲する。
【００３６】
特定の変種において、メインの筒かな８の突出端９はそれぞれ、局所的基準又は支持面５に対して凹んでいるか同じ高さにある。
【００３７】
特定の変種において、図４からわかるように、ムーブメント１が備える各第１の種類の出力アーバー２又は各第２の種類のメイン出力アーバー７の自由端６又は１０は、自由端６、１０から最も遠くに位置する局所的基準又は支持面５に接する平面に対して凹んでいるか又は同じ高さである。
【００３８】
特定の実施形態において、ムーブメント１が備える各第１の種類の出力アーバー２又は各第２の種類のメイン出力アーバー７上の局所的基準又は支持面５はすべて芯位置合わせされる。
【００３９】
好ましくは、計時器ムーブメント１は、少なくとも１つの表盤４を受け所定位置に保持するための上部表面１１を有し、この少なくとも１つの表盤４は、その少なくとも１つの表盤４が有する相補的形状の表面１２を介して上部表面１１上で支えられる。この少なくとも１つの表盤４は、ムーブメント１が備える第１の種類の出力アーバー２及び／又は第２の種類のメイン出力アーバー７の特定のものに対してのみ表示インジケーター３を組み立てることを許容する一連の開口１３を有し、図５に示すように、この少なくとも１つの表盤４は、開口１３を介して見ることができない出力アーバー２及び／又は第２の種類のメイン出力アーバー７を隠す。
【００４０】
好ましくは、前記凹みＨは約０．２０ｍｍである。
【００４１】
好ましくは、第１の種類の出力アーバー２又は第２の種類の出力アーバー７は、針で形成された出力インジケーター３を備えている。この出力インジケーターは、円盤状、扇状などに形成することもできる。
【００４２】
本発明は、さらに、このような計時器ムーブメント１を少なくとも１つ有するモジュール式の計時器アセンブリー１００に関する。本発明によると、このアセンブリーは、複数の表盤４を有し、そのそれぞれは、ムーブメント１の上部表面１１上に支持された相補的形状の表面１２を有する。さらに、特定の表盤４それぞれに対して、表示インジケーター３の特定のセットを有する。これらは、ムーブメント１が備える第１の種類の出力アーバー２及び／又は第２の種類のメイン出力アーバー７のうちの１つに取り付けられるためのものであり、その出力アーバーは、ムーブメント１上に表盤４を組み立てた後に、特定の表盤４に設けられる開口１３を通して可視状態が維持される。図６は、この種のキットを示しており、これから、特定の部品の組み合わせを取り出して、異なる計時器１０００を組み立てることができる。
【００４３】
本発明は、さらに、この種のモジュール式のアセンブリー１００から形成されたこの種の計時器１０００に関する。本発明によると、この計時器は、ムーブメント１の上部表面１１上に組み立てられた、特定の表盤４又は固有な形に並置された特定の複数の表盤４と、及びこの特定の表盤４又は固有な形に並置された特定の複数の表盤４を介してムーブメント１に取り付けられた、複数の表示インジケーター３とを有し、そのそれぞれは、ムーブメント１が備える第１の種類の出力アーバー２及び／又は第２の種類のメイン出力アーバー７のうちの１つに取り付けられ、その出力アーバーは、表盤４がムーブメント１上で組み立てられた後にも、特定の表盤４又は固有な形に並置された特定の複数の表盤４に設けられた開口１３を通して可視状態が維持される。
【００４４】
本発明を、すべての通常の時、分、秒及び日付の表示に使用することができるが、特に、小秒針の種類の表示に適している。通常の構造では、小秒針は、既に動いている歯車列につながっており、その位置を容易に変更することができない。本発明に係る構造は、いずれの歯車列も追加することを回避し、種々な表示を見せるムーブメントを提供する。これによって、１つのムーブメント１で様々な異なる表示が可能となり、合理的なコストで広範囲な形態を見せることができる。
【００４５】
このように、本発明は、製造コストを合理化することを可能にし、同じムーブメントから、ユーザーに提供される異なる表盤、異なる表示アーキテクチャ又は異なる機能や複雑な機構を備えた様々な計時器を作ることを可能にする。
【図１】
0005792400.tif 000002
【図２】
0005792400.tif 000003
【図２Ａ】
0005792400.tif 000004
【図３】
0005792400.tif 000005
【図４】
0005792400.tif 000006
【図５】
0005792400.tif 000007
【図６】
0005792400.tif 000008
【図７】
0005792400.tif 000009